(57)【要約】【課題】  システム待機時における副装置のＡＣラインからみた待機消費電力をゼロにしてシステム全体における待機消費電力を低減することができる。【解決手段】  システム待機時には、主装置３Ａの補助電源回路３１だけが電力を消費するので、ＡＣライン３７からみた副装置５Ａの待機消費電力をゼロにすることができる。その結果、電力供給システム１Ａの全体における待機消費電力を低減できる。その上，補助電源回路３１を複数に分けずに１基で構成しているので、ロスが少なく効率的に電力を発生させることができて待機消費電力を低減することができる。【選択図】        図１
2005157948.tif 000002
【特許請求の範囲】
【請求項１】
１次側電源スイッチ及び第１のリレーを介して主電源回路がＡＣラインに接続されている主装置と、この主装置に信号ケーブルで接続され、第２のリレーを介して副電源回路がＡＣラインに接続されている副装置と、前記主装置及び前記副装置が作動するシステム稼働としてのオン又は前記主装置及び前記副装置が停止するシステム待機としてのオフを指示する指示手段とを備え、前記指示手段の指示により前記主装置又は前記副装置のいずれか一方のオン／オフに連動して他方がオン／オフするように作動する電力供給システムにおいて、
前記主装置は、前記主電源回路により電力を供給され、前記第２のリレーを作動させる半導体スイッチと、前記指示手段による指示を検出し、その指示がオンである場合には、前記第１のリレー及び前記半導体スイッチを作動させる制御手段と、一次側電源スイッチがオンすることでＡＣラインに接続され、前記制御手段に電力を供給する補助電源回路とを備えていることを特徴とする電力供給システム。
【請求項２】
請求項１に記載の電力供給システムにおいて、
前記制御手段は、前記主装置に設けられた第１のマイクロコンピュータと、前記副装置に設けられ、前記指示手段のオン／オフを前記第１のマイクロコンピュータとの間で通信可能な第２のマイクロコンピュータを備えている電力供給システム。
【請求項３】
請求項１に記載の電力供給システムにおいて、
前記制御手段は、前記主装置だけに設けられたマイクロコンピュータを備えていることを特徴とする電力供給システム。
【請求項４】
１次側電源スイッチ及び第１のリレーを介して主電源回路がＡＣラインに接続されている主装置と、この主装置に信号ケーブルで接続され、第２のリレーを介して副電源回路がＡＣラインに接続されている副装置と、前記主装置及び前記副装置が作動するシステム稼働としてのオン又は前記主装置及び前記副装置が停止するシステム待機としてのオフを指示する指示手段とを備え、前記指示手段の指示により前記主装置又は前記副装置のいずれか一方のオン／オフに連動して他方がオン／オフするように作動する電力供給システムにおいて、
前記主装置は、前記指示手段による指示を検出し、その指示がオンである場合には、前記第１のリレーを作動させる第１の制御手段を備え、
前記副装置は、前記第２のリレーを作動させる半導体スイッチと、前記指示手段による指示を検出し、その指示がオンである場合には、前記半導体スイッチを作動させる第２の制御手段とを備え、
さらに前記主装置は、一次側電源スイッチがオンすることでＡＣラインに接続され、前記第１の制御手段及び前記第２の制御手段並びに前記半導体スイッチに電力を供給する補助電源回路とを備えていることを特徴とする電力供給システム。
【請求項５】
１次側電源スイッチ及び第１のリレーを介して主電源回路がＡＣラインに接続されている主装置と、この主装置に信号ケーブルで接続され、第２のリレーを介して副電源回路がＡＣラインに接続されている副装置と、前記主装置及び前記副装置が作動するシステム稼働としてのオン又は前記主装置及び前記副装置が停止するシステム待機としてのオフを指示する指示手段とを備え、前記指示手段の指示により前記主装置又は前記副装置のいずれか一方のオン／オフに連動して他方がオン／オフするように作動する電力供給システムにおいて、
前記主装置は、前記主電源回路により電力が供給され、前記第２のリレーを作動させる半導体スイッチと、前記指示手段による指示がオンであることに基づいて前記第１のリレーを作動させる第１の制御手段を備え、
前記副装置は、前記指示手段による指示を検出し、その指示がオンである場合には、そのことを前記第１の制御手段に伝達する第２の制御手段とを備え、
さらに前記主装置は、一次側電源スイッチがオンすることでＡＣラインに接続され、前記第１の制御手段及び前記第２の制御手段に電力を供給する補助電源回路とを備えていることを特徴とする電力供給システム。
【請求項６】
請求項１から５のいずれかに記載の電力供給システムにおいて、
前記１次側電源スイッチと前記第１のリレーとの間には、第１のコンデンサを備えた１段目のフィルタ回路が設けられ、
前記第１のリレーと主電源回路との間には、第２のコンデンサを備えた２段目のフィルタ回路が設けられ、
前記第１のコンデンサは、前記第１のコンデンサと前記第２のコンデンサの合成容量よりも小さい容量を備えていることを特徴とする電力供給システム。
【請求項７】
請求項１から６のいずれかに記載の電力供給システムにおいて、
前記指示手段は、前記補助電源回路から電力が供給され、リモートコントローラからのオン／オフ信号を受信する受信部を備えていることを特徴とする電力供給システム。
【請求項８】
請求項７に記載の電力供給システムにおいて、
前記受信部は、前記主装置または前記副装置のいずれか一方にのみ備えられていることを特徴とする電力供給システム。
【請求項９】
請求項１から８のいずれかに記載の電力供給システムにおいて、
前記指示手段は、前記主装置及び前記副装置に備えられ、オン／オフを切り換える手動スイッチを備えていることを特徴とする電力供給システム。
【請求項１０】
請求項１から９のいずれかに記載の電力供給システムにおいて、
前記第２のリレーは、２ａ接点を有することを特徴とする電力供給システム。
【請求項１１】
１次側電源スイッチ及びリレーを介してＡＣラインに接続された電源回路と、この電源回路から電力が供給される負荷とを備え、前記リレーを作動させて前記負荷に対して電力が供給されるシステム稼働としてのオン又は前記リレーを非作動させて前記負荷に対する電力が遮断されるシステム待機としてのオフに移行可能な電力供給システムにおいて、
前記１次側電源スイッチと前記リレーとの間には、第１のコンデンサを備えた１段目のフィルタ回路を備え、
前記リレーと前記電源回路との間には、第２のコンデンサを備えた２段目のフィルタ回路を備え、
前記第１のコンデンサは、前記第１のコンデンサと前記第２のコンデンサの合成容量よりも小さい容量を備え、
前記１段目のフィルタ回路の後段には、システム待機時に小電力を供給する補助電源回路が接続されていることを特徴とする電力供給システム。
【請求項１２】
請求項１１に記載の電力供給システムにおいて、
前記２段目のフィルタ回路が備えるコンデンサの容量は、前記１段目のフィルタ回路が備えるコンデンサの容量の２〜５０倍であることを特徴とする電力供給システム。
【発明の詳細な説明】
【技術分野】
【０００１】
この発明は、例えば、画像表示部とチューナとが互いに信号ケーブルで接続され、それらに所要の電力を供給／遮断したり、パーソナルコンピュータのビデオボード等のホストとモニター装置とが互いに信号ケーブルで接続され、モニター装置に所要の電力を供給したり、一定時間の操作が行われない場合にホストからの信号に応じてモニター装置への電力が遮断されたりするのに用いられる技術に係り、特に、主電源回路を備えた主装置と、副電源回路を備えた副装置と、主装置及び副装置が作動するシステム稼働としてのオン又は主装置及び副装置が停止するシステム待機としてのオフを指示する指示手段とを備え、それらのいずれか一方の電源のオン／オフに連動して他方の電源がオン／オフするように作動する電力供給システムや、電源回路を備えてシステム待機とシステム稼働の状態に切換え可能な電力供給システムに関する。
【背景技術】
【０００２】
「第１従来例」として、例えば、ホストであるパーソナルコンピュータ（主装置）と、このパーソナルコンピュータで制御されるプリンタ（副装置）とを備えたものが挙げられる（例えば、特許文献１参照）。
【０００３】
この装置では、パーソナルコンピュータの電源がオンすると、プリンタではＵＳＢインターフェイスの電源ラインを介して供給された電力によって電源駆動回路のトランジスタスイッチがオンになる。これにより、電力供給部による電力供給が開始され、印刷部を含むプリンタの全体が稼働してパーソナルコンピュータからのデータを受信可能になる。その一方、プリンタの電源駆動回路はパーソナルコンピュータがオフされた時には、印刷部の終了処理が完了した後、トランジスタスイッチがオフされて、電力供給部による電力供給が停止する。この電力供給の停止により、プリンタの待機電力を低減できるようになっている。
【０００４】
また、「第２従来例」として、例えば、二つの各々の内部に電源回路を備えた機器が一般的な通信ケーブルと接続されて構成され、この通信ケーブルを利用して電源のオン／オフ状態を伝えることにより、電源の制御を行うように構成されたものが挙げられる（例えば、特許文献２参照）。
【０００５】
この装置は、送信側機器（主装置）と受信側機器（副装置）とが通信回路によって接続されており、送信側機器の電源回路を制御する制御回路が作動すれば、それに応じて受信側機器の制御回路及び電源回路が動作され、これに伴い電源制御回路が制御されて受信側機器の電源が制御される。この装置では、通信ケーブルの状態を監視しているだけであるので、受信側で電源が必要な回路部分が小さくでき、その結果として待機電力が小さくできる。
【０００６】
さらに、「第３従来例」として、それぞれ電源を独立して入力可能なステレオレシーバ（主装置）と、このステレオレシーバに対応したＣＤ機器やＭＤ機器などの周辺機器（副装置）とがＩＥＥＥ１３９４インターフェイスによって相互に接続されたオーディオ装置が例示される。
【０００７】
このように構成された装置では、ステレオレシーバが自身の電源状態に応じて、所定の条件に適合する他の周辺機器に対する電源のオン／オフ状態を連動させるように各周辺機器を制御するようになっている。したがって、周辺機器は、ＩＥＥＥ１３９４インターフェイスに必要な電源だけを確保すればよく、待機電力が低減できる。
【０００８】
また、電源回路を備えてシステム待機とシステム稼働の状態に切換え可能な電力供給システムでは、電源回路と負荷を含むＥＭＩ対策のために電源回路の前段に、比較的大容量のコンデンサを備えた一つのフィルタ回路を設けてある。
【特許文献１】特開２００２−１０８５１８号公報（段落番号「００１９」〜「００２４」、図１）
【特許文献２】特開平６−２８０６４号公報（段落番号「００１９」、図１）
【特許文献３】特開２００１−２３６１４８号公報（図１）
【発明の開示】
【発明が解決しようとする課題】
【０００９】
しかしながら、このような構成を有する従来例の場合には、次のような問題がある。
すなわち、第１従来例は、プリンタとＡＣラインとの間に接続されているＡＣアダプタが待機中に電力を消費するので、副装置であるプリンタのＡＣラインからみた待機電力を完全に無くすことはできないという問題がある。また、ＡＣアダプタには通常ＥＭＩ対策用のフィルタ回路が設けられているので、電源供給部がオフしていてもＡＣラインと接続した時点でコンデンサに交流電流が流れてしまう関係上、力率が悪化して皮相電力（無効電力）が大きくなる。
【００１０】
また、第２従来例は、受信側機器は、通信回路及び制御回路に電力を供給しておく必要があって待機中に電力を消費する。
【００１１】
さらに、第３従来例は、ステレオレシーバ及び周辺機器はともにＩＥＥＥ１３９４インターフェイスを動作させておく必要があるので、待機中であっても電力を消費する。また、待機中におけるシステム全体の待機消費電力が大きいという問題もある。
【００１２】
また、負荷が作動しているシステム稼働時は、当然のことながらノイズ源が多くなるので、ＥＭＩ対策のためにはフィルタ回路のコンデンサ容量を大きくしておく方が好ましい。しかしながら、そうするとシステム待機に切り替わった際における待機消費電力が増大するという問題がある。
【００１３】
この発明は、このような事情に鑑みてなされたものであって、システム待機時における副装置のＡＣラインからみた待機消費電力をゼロにしてシステム全体における待機消費電力を低減することができる電力供給システムを提供することを目的とする。
【００１４】
また、この発明の他の目的は、フィルタ回路を工夫することにより、システム稼働時におけるノイズ対策を充分に図りつつもシステム待機時における待機消費電力を低減することができる電力供給システムを提供することを目的とする。
【課題を解決するための手段】
【００１５】
この発明は、このような目的を達成するために、次のような構成をとる。
すなわち、請求項1に記載の発明は、１次側電源スイッチ及び第１のリレーを介して主電源回路がＡＣラインに接続されている主装置と、この主装置に信号ケーブルで接続され、第２のリレーを介して副電源回路がＡＣラインに接続されている副装置と、前記主装置及び前記副装置が作動するシステム稼働としてのオン又は前記主装置及び前記副装置が停止するシステム待機としてのオフを指示する指示手段とを備え、前記指示手段の指示により前記主装置又は前記副装置のいずれか一方のオン／オフに連動して他方がオン／オフするように作動する電力供給システムにおいて、前記主装置は、前記主電源回路により電力を供給され、前記第２のリレーを作動させる半導体スイッチと、前記指示手段による指示を検出し、その指示がオンである場合には、前記第１のリレー及び前記半導体スイッチを作動させる制御手段と、一次側電源スイッチがオンすることでＡＣラインに接続され、前記制御手段に電力を供給する補助電源回路とを備えていることを特徴とするものである。
【００１６】
［作用・効果］請求項1に記載の発明によれば、システム待機時には主装置が備えている補助電源回路から制御手段に電力が供給され、制御手段が指示手段によるオン／オフの指示を監視する。指示手段による指示がオンとなった場合には、第１のリレーが制御手段によって作動され、主装置の主電源回路がＡＣラインに接続される。次いで、起動された主電源回路から電力を供給される半導体スイッチが制御手段によって作動され、第２のリレーが作動されて副装置の副電源回路がＡＣラインに接続され、これにより主装置及び副装置が作動してシステム稼働となる。したがって、システム待機時には、主装置の補助電源回路だけが電力を消費するので、ＡＣラインからみた副装置の待機消費電力をゼロ（有効電力０Ｗ）にすることができる。その結果、システム全体の待機消費電力を低減することができる。
【００１７】
また、前記制御手段は、前記主装置に設けられた第１のマイクロコンピュータと、前記副装置に設けられ、前記指示手段のオン／オフを前記第１のマイクロコンピュータとの間で通信可能な第２のマイクロコンピュータを備えているのが好ましい（請求項２）。
【００１８】
主装置に設けられた第１のマイクロコンピュータと副装置に設けられた第２のマイクロコンピュータとで制御手段を構成し、第２のマイクロコンピュータは、第１のマイクロコンピュータとの間で指示手段のオン／オフを通信可能に構成することで、指示手段の指示に応じてシステム稼働又はシステム待機を制御することができる。
【００１９】
また、前記制御手段は、前記主装置だけに設けられたマイクロコンピュータを備えていることが好ましい（請求項３）。主装置だけにマイクロコンピュータを備えることにより、システム全体の構成部品を少なくできて低コスト化を図ることができる。
【００２０】
また、請求項４に記載の発明は、１次側電源スイッチ及び第１のリレーを介して主電源回路がＡＣラインに接続されている主装置と、この主装置に信号ケーブルで接続され、第２のリレーを介して副電源回路がＡＣラインに接続されている副装置と、前記主装置及び前記副装置が作動するシステム稼働としてのオン又は前記主装置及び前記副装置が停止するシステム待機としてのオフを指示する指示手段とを備え、前記指示手段の指示により前記主装置又は前記副装置のいずれか一方のオン／オフに連動して他方がオン／オフするように作動する電力供給システムにおいて、前記主装置は、前記指示手段による指示を検出し、その指示がオンである場合には、前記第１のリレーを作動させる第１の制御手段を備え、前記副装置は、前記第２のリレーを作動させる半導体スイッチと、前記指示手段による指示を検出し、その指示がオンである場合には、前記半導体スイッチを作動させる第２の制御手段とを備え、さらに前記主装置は、一次側電源スイッチがオンすることでＡＣラインに接続され、前記第１の制御手段及び前記第２の制御手段並びに前記半導体スイッチに電力を供給する補助電源回路とを備えていることを特徴とするものである。
【００２１】
［作用・効果］請求項４に記載の発明によれば、システム待機時には主装置が備えている補助電源回路から第１の制御手段及び副装置が備えている第２の制御手段に対して電力が供給され、第１の制御手段及び第２の制御手段が指示手段によるオン／オフの指示を監視する。指示手段による指示がオンとなった場合には、第１のリレーが第１の制御手段によって作動され、主装置の主電源回路がＡＣラインに接続される。次いで、半導体スイッチを介して第２のリレーが作動され、副装置の副電源回路がＡＣラインに接続されて主装置及び副装置が作動してシステム稼働となる。したがって、システム待機時には、主装置の補助電源回路だけが電力を消費するので、ＡＣラインからみた副装置の待機消費電力をゼロ（有効電力０Ｗ）にすることができる。その結果、システム全体の待機消費電力を低減することができる。
【００２２】
また、上記構成によると、副装置の第２のリレーを駆動する半導体スイッチを副装置側に備えているので、第２のリレーと半導体スイッチとを接続する主副装置間の信号ケーブルの信号線を省略することができる。主副装置間の信号ケーブルは、例えば、数メートル（１〜３ｍあるいは１０ｍ）の長さになるので、信号線を一本省略することができるだけでコストを低減することができる。
【００２３】
また、請求項５に記載の発明は、１次側電源スイッチ及び第１のリレーを介して主電源回路がＡＣラインに接続されている主装置と、この主装置に信号ケーブルで接続され、第２のリレーを介して副電源回路がＡＣラインに接続されている副装置と、前記主装置及び前記副装置が作動するシステム稼働としてのオン又は前記主装置及び前記副装置が停止するシステム待機としてのオフを指示する指示手段とを備え、前記指示手段の指示により前記主装置又は前記副装置のいずれか一方のオン／オフに連動して他方がオン／オフするように作動する電力供給システムにおいて、前記主装置は、前記主電源回路により電力が供給され、前記第２のリレーを作動させる半導体スイッチと、前記指示手段による指示がオンであることに基づいて前記第１のリレーを作動させる第１の制御手段を備え、前記副装置は、前記指示手段による指示を検出し、その指示がオンである場合には、そのことを前記第１の制御手段に伝達する第２の制御手段とを備え、さらに前記主装置は、一次側電源スイッチがオンすることでＡＣラインに接続され、前記第１の制御手段及び前記第２の制御手段に電力を供給する補助電源回路とを備えていることを特徴とするものである。
【００２４】
［作用・効果］請求項５に記載の発明によれば、システム待機時には主装置が備えている補助電源回路から第１の制御手段及び第２の制御手段に電力が供給され、第１の制御手段及び第２の制御手段が指示手段によるオン／オフの指示を監視する。指示手段による指示がオンとなった場合には、第１のリレーが制御手段によって作動され、主装置の主電源回路がＡＣラインに接続される。次いで、起動された主電源回路から電力を供給される半導体スイッチが第１の制御手段によって作動され、第２のリレーが作動されて副装置の副電源回路がＡＣラインに接続され、これにより主装置及び副装置が作動してシステム稼働となる。したがって、システム待機時には、主装置の補助電源回路だけが電力を消費するので、ＡＣラインからみた副装置の待機消費電力をゼロ（有効電力０Ｗ）にすることができる。その結果、システム全体の待機消費電力を低減することができる。
【００２５】
また、請求項１から５のいずれかに記載の電力供給システムにおいて、前記１次側電源スイッチと前記第１のリレーとの間には、第１のコンデンサを備えた１段目のフィルタ回路が設けられ、前記第１のリレーと主電源回路との間には、第２のコンデンサを備えた２段目のフィルタ回路が設けられ、前記第１のコンデンサは、前記第１のコンデンサと前記第２のコンデンサの合成容量よりも小さい容量を備えていることが好ましい（請求項６）。
【００２６】
１次側電源スイッチだけがオンされているシステム待機時には、１段目のフィルタ回路だけが接続され、指示手段によりシステム稼働が指示された場合には、さらに２段目のフィルタ回路が接続される。システム待機時に接続されている１段目のフィルタ回路における第１のコンデンサの容量は、１段目と２段目のフィルタ回路のコンデンサの合成容量より小さいので、通電時における皮相電力（無効電力）が小さくなり、電力ロスを小さくすることができる。したがって、待機時におけるシステム全体の消費電力をさらに低減することができる。
【００２７】
なお、待機中にフィルタ回路を使用しない方が好ましいのは、以下の理由による。
すなわち、力率が悪い電気器具を使うと無効電力が大きくなり、皮相電力も大きくなって電力ロスが大きくなる。一般的には、ＡＣラインと電源回路を接続する際に、ＥＭＩ対策上、フィルタ回路を設けることは必須である。しかし、この回路にはコンデンサが含まれているので、ＡＣラインに接続されているだけで電力が消費されてしまう。したがって、待機中のような主電源回路を使用しない場合には、主電源回路用のフィルタ回路をＡＣラインから切り離しておくのが好ましい。なお、力率及び皮相電力は、次のような関係式で表され、皮相電力がコンデンサの容量ｃに依存することが理解できる。
【００２８】
皮相電力及び無効電力は、以下の式（１），（２）で表される。
皮相電力［ＶＡ］＝√（有効電力2［Ｗ］＋無効電力2［ＶＡＲ］）  …  （１）
無効電力Ｐ＝Ｅ2／Ｚ＝Ｅ2／（ωＬ＋（１／ωＣ））              …  （２）
ここでＬ成分を無視すると、
＝Ｅ2／（１／ωＣ）＝Ｅ2ωＣ［ＶＡＲ］となる。
【００２９】
上記の式（２）から、無効電力がコンデンサの要領に依存することがわかる。
したがって、式（１），（２）から皮相電力がコンデンサの容量に依存することがわかる。
【００３０】
また、前記指示手段は、前記補助電源回路から電力が供給され、リモートコントローラからのオン／オフ信号を受信する受信部を備えていることが好ましく（請求項７）、前記受信部は、前記主装置または前記副装置のいずれか一方にのみ備えられていることが好ましい（請求項８）。この構成では、非接触でシステム待機とシステム稼働を指示することができる。
【００３１】
また、前記指示手段は、前記主装置及び前記副装置に備えられ、オン／オフを切り換える手動スイッチを備えていることが好ましい（請求項９）。この構成では、手動でオン／オフを切り換えることができる。
【００３２】
また、前記第２のリレーは、２ａ接点を有することが好ましい（請求項１０）。２ａ接点（両切りや２メイク接点ともいう）を備えることで第２のリレーから後段は完全にＡＣラインから完全に遮断されるので、第２のリレーより後段（例えば、コンデンサを含むフィルタ回路）で消費する電力をなくすことができる（有効電力０Ｗ、無効電力０ＶＡＲであるが故に、皮相電力０ＶＡを達成）。リレーは、２ａ接点であれば機械式リレーやＳＳＲ（ソリッドステートリレー）に限られない。
【００３３】
なお、この発明においては、主装置又は副装置のいずれか一方に１基だけの補助電源回路を備える構成としているが、主副装置の双方にそれぞれ備えて捕縄電源回路を２基にするよりも好ましい理由は次のとおりである。
【００３４】
例えば、システム全体で８０［ｍＷ］の出力電力を得るためには、補助電源回路が２基の場合：１基あたりの出力電力は４０［ｍＷ］、補助電源回路が１基だけの場合：出力電力は８０［ｍＷ］となる。一般的に、電源回路においては、その出力が高くなるに従って効率が１００［％］に近づいてゆく。例えば、２０［Ｗ］を超えて５０［Ｗ］出力まではほぼ１００［％］近くの効率を発揮できるが、１［Ｗ］付近以下では急激に効率が低下するという一般的な傾向がある。このような傾向から出力が４０［ｍＷ］と８０［ｍＷ］では、それぞれ効率が約３７［％］と５６［％］になる。
【００３５】
ここで、補助電源回路が２基と１基の場合について、補助電源回路に供給する必要がある電力を求めてみる。
【００３６】
「補助電源回路が２基の場合」
１基につき、出力電圧４［Ｖ］、出力電流１０［ｍＡ］、効率３７［％］とすると、
入力電力（消費電力）＝出力電力／効率×補助電源回路の基数
＝出力電圧×出力電流／３７［％］×２［基］
＝４［Ｖ］×１０［ｍＡ］／０．３７×２［基］
＝２１６［ｍＷ］
【００３７】
「補助電源回路が１基の場合」
出力電圧４［Ｖ］、出力電流２０［ｍＡ］、効率を５６［％］とすると、
入力電力（消費電力）＝出力電力／効率
＝出力電圧×出力電流／５６［％］×１［基］
＝４［Ｖ］×２０［ｍＡ］／０．５６×１［基］
＝１４３［ｍＷ］
【００３８】
上記の結果から、システム全体で８０［ｍＷ］の出力電力を得るためには、補助電源回路が１基では１４３［ｍＷ］を投入する必要があり、２基では２１６［ｍＷ］を投入する必要があることがわかる。したがって、補助電源回路は、複数に分けるよりも１基で構成する方が消費電力を低減することができて好ましいのである。
【００３９】
また、請求項１１に記載の発明は、前記１次側電源スイッチと前記リレーとの間には、第１のコンデンサを備えた１段目のフィルタ回路を備え、前記リレーと前記電源回路との間には、第２のコンデンサを備えた２段目のフィルタ回路を備え、前記第１のコンデンサは、前記第１のコンデンサと前記第２のコンデンサの合成容量よりも小さい容量を備え、前記１段目のフィルタ回路の後段には、システム待機時に小電力を供給する補助電源回路が接続されていることものである。
【００４０】
［作用・効果］システム稼働の場合には、リレーが作動して電源回路が１段目のフィルタ回路と２段目のフィルタ回路とを介してＡＣラインに接続される。したがって、二つのフィルタ回路によりノイズ吸収等のＥＭＩ対策を充分に図ることができる。その一方、システム待機の場合には、リレーが非作動とされて電源回路がＡＣラインから切り離されるとともに、１段目のフィルタ回路だけを介して補助電源回路がＡＣラインに接続される。システム待機時に接続されている１段目のフィルタ回路は、第１のコンデンサの容量が、システム稼働時に接続されている１段目と２段目のフィルタ回路におけるコンデンサの合成容量よりも小さいので、通電時における皮相電力（無効電力）が小さくなり、電力ロスを小さくすることができる。したがって、システム稼働時におけるノイズ対策を充分に図りつつもシステム待機時におけるシステム全体の消費電力をさらに低減することができる。
【００４１】
また、この発明において、前記２段目のフィルタ回路が備えるコンデンサの容量は、前記１段目のフィルタ回路が備えるコンデンサの容量の２〜５０倍であることが好ましい（請求項１２）。
【発明の効果】
【００４２】
この発明に係る電力供給システムによれば、システム待機時には、主装置の補助電源回路だけが電力を消費するので、ＡＣラインからみた副装置の待機消費電力をゼロ（有効電力０Ｗ、無効電力０ＶＡＲであるが故に、皮相電力０ＶＡ）にすることができる。その結果、システム全体の待機消費電力を低減することができる。
【００４３】
また、この発明に係る電力供給システムによれば、システム待機時には第１のコンデンサを備えている１段目のフィルタ回路だけとし、システム稼働時は第２のコンデンサを含む二段のフィルタ回路とする切換えにより、システム稼働時におけるノイズ対策を充分に図りつつもシステム待機時におけるシステム全体の消費電力をさらに低減することができる。
【実施例１】
【００４４】
以下、図面を参照してこの発明の実施例1を説明する。
図１は、実施例１に係る電力供給システムの概略構成を示すブロック図である。
【００４５】
この電力供給システム１Ａは、主装置３Ａと副装置５Ａとを信号ケーブル７で接続してなる。副装置５Ａは、液晶パネルやオーディオアンプなどの出力装置である主負荷ユニット９を備え、この電力供給システム１Ａのユーザは、主としてこの主負荷ユニット９による出力を鑑賞等する。電力供給システム１Ａの一例としては、チューナ（主装置３Ａ）と液晶表示部（副装置５Ａ）とが別体で、信号ケーブル７によって連結された構成の装置であって、ユーザはチューナ（後述するデジタルチューナユニット２３）によって所望のチャンネルを選択し、液晶表示部に表示される映像を鑑賞する装置に内蔵されたものが挙げられる。
【００４６】
主装置３Ａは、商用電源であるＡＣライン１１への開閉を制御する１次側電源スイッチ１３を備えている。この１次側電源スイッチ１３の後段には、１段目のフィルタ回路１５と、リレー１７と、２段目のフィルタ回路１９と、主電源回路２１とをその順に備えている。主電源回路２１は、デジタルチューナユニット２３（図中ではＤＴユニットと略記する）と、信号変換器２５と、半導体スイッチ２７に電力を供給する。なお、半導体スイッチ２７としては、例えば、ＦＥＴが挙げられる。信号変換器２５には、信号入力端子２９を通してデジタル信号やコンポジット信号等が入力され、ここで所定形式の信号に変換する等の処理がなされる。上記の１段目のフィルタ回路１５は小容量のコンデンサを備え、２段目のフィルタ回路１９は１段目のフィルタ回路１５のコンデンサ容量よりも大容量のコンデンサを備えている。その比は、例えば、１段目のフィルタ回路１５のコンデンサ容量の５〜１０倍程度であることが好ましい。
【００４７】
なお、上記リレー１７が本発明における第１のリレーに相当する。
【００４８】
１段目のフィルタ回路１５の出力は、補助電源回路３１にも与えられる。この補助電源回路３１は、主電源回路２１よりも出力が小さく、後述するシステム待機時において、所要の構成にのみ電力を供給する。この補助電源回路３１の出力が与えられるものとして、マイクロコンピュータ３３がある（図中ではマイコンと略記する）。このマイクロコンピュータ３３は、デジタルチューナユニット２３及び信号変換器２５の動作を制御するとともに、主装置３Ａに取り付けられた２次側電源スイッチ３５のオン／オフを監視している。また、リレー１７及び半導体スイッチ２７の動作を制御する。２次側電源スイッチ３５は、電力供給装置１Ａのシステム稼働とシステム待機とを指示する機能を有する。
【００４９】
なお、上記マイクロコンピュータ３３が本発明における制御手段及び第１のマイクロコンピュータに相当する。また、２次側電源スイッチ３５は、本発明における指示手段に相当する。
【００５０】
副装置５Ａは、ＡＣライン３７に接続されたリレー３９を備え、その後段に、フィルタ回路４１と副電源回路４３とを順に備えている。このリレー３９は、２ａ接点（両切りや２メイク接点ともいう）であることが好ましく、機械式リレーやＳＳＲ（ソリッドステートリレー）に限られない。このように２ａ接点のリレー３９を備えることにより、リレー３９が非作動にされている限り、リレー３９から後段は完全にＡＣラインから完全に遮断されるので、ＡＣライン３７に接続されるだけでフィルタ回路４１が消費する無効電力をなくすことができる。なお、主装置３Ａのリレー１７も上記リレー３９と同様に２ａ接点であることが好ましい。
【００５１】
副電源回路４３の出力は、主負荷ユニット９に与えられる。さらに、副装置５Ａは、主装置３Ａと同様にマイクロコンピュータ４５を備えている（図中ではマイコンと略記する）。このマイクロコンピュータ４５は、主装置３Ａのマイクロコンピュータ３３との間で通信可能なようにそれに対して接続されている。また、主負荷ユニット９の動作を制御するとともに、副装置５Ａに取り付けられた２次側電源スイッチ４７のオン／オフを監視している。２次側電源スイッチ４７は、電力供給システム１Ａのシステム稼働とシステム待機とを指示する機能を有する。さらに、図示しないリモートコントローラからのオン／オフ信号を受信するための受信部４９に接続されており、その出力を監視している。リモートコントローラからのオン／オフ信号は、例えば、特定のパルス列からなる赤外光であり、システム稼働とシステム待機とを指示する。この受信部４９は、主装置３Ａに設けられている補助電源回路３１から動作に必要な電力の供給を受ける。
【００５２】
なお、上記マイクロコンピュータ４５が本発明における制御手段及び第２のマイクロコンピュータに相当する。また、上記リレー３９が本発明における第２のリレーに相当し、２次側電源スイッチ４７及び受信部４９が本発明における指示手段に相当する。
【００５３】
次に、上述した構成の電力供給システムにおける動作について説明する。
【００５４】
＜システム待機までのステップ＞
（１）主装置３Ａ及び副装置５Ａの双方がＡＣライン１１，３７に接続された状態で、主装置３Ａの一次側電源スイッチ１３がユーザ等によりオンされると、ＡＣ１００Ｖが１段目のフィルタ回路１５を介して補助電源回路３１及びリレー１７に供給される。これにより補助電源回路３１が起動される。
（２）補助電源回路３１からマイクロコンピュータ３３，４５及び受信部４９に対して所要電力が供給される。これによりマイクロコンピュータ３３，４５及び受信部４９が稼働する。
【００５５】
＜システム稼働までのステップ＞
システム稼働は、二次側電源スイッチ３５，４７又は受信部４９からの指示に基づき行われるが、以下のように３パターンがある。
【００５６】
（１）リモートコントローラによる起動
リモートコントローラからのオン指示を受信部４９が受信し、これを副装置５Ａのマイクロコンピュータ４５が検出する。マイクロコンピュータ４５は、主装置３Ａのマイクロコンピュータ３３に対して、起動コマンドを信号ケーブル７から送信して転送する。
（２）副装置５Ａの２次側電源スイッチ４７による起動
副装置５Ａの２次側電源スイッチ４７がユーザ等によってオンされると、マイクロコンピュータ４５がこれを検出する。そして、マイクロコンピュータ４５は、主装置３Ａのマイクロコンピュータ３３に対して起動コマンドを信号ケーブル７から送信して転送する。
（３）主装置３Ａの２次側電源スイッチ３５による起動
主装置３Ａの２次側電源スイッチ４７がユーザ等によりオンされると、マイクロコンピュータ３３がこれを検出する。マイクロコンピュータ３３は、副装置５Ａのマイクロコンピュータ４５に対して、起動コマンドを信号ケーブル７を通して送信転送する。
【００５７】
上記のいずれかでシステム稼働が指示されると、主装置３Ａのマイクロコンピュータ３３がリレー１７を励磁して作動させる。これにより、２段目のフィルタ回路１９及び１段目のフィルタ回路１５を介して主電源回路２１がＡＣライン１１に対して電気的に接続される。主電源回路２１が作動すると、デジタルチューナユニット２３と、信号変換器２５と、半導体スイッチ２７に対して所要電力が供給される。次いで、マイクロコンピュータ３３が半導体スイッチ２７を作動させることにより、副装置５Ａのリレー３９が作動され、フィルタ回路４１を介して副電源回路４３がＡＣライン３７に接続される。すると、副電源回路４３で生成された電力が主負荷ユニット９に供給されて、その負荷が作動し、信号変換器２５からの信号に基づく出力等の動作が行われる。
【００５８】
上述した構成により、実施例１に係る電力供給システム１Ａでは、システム待機時には、主装置３Ａの補助電源回路３１だけが電力を消費するので、ＡＣライン３７からみた副装置５Ａの待機消費電力をゼロにすることができる。その結果、電力供給システム１Ａの全体における待機消費電力を低減できる。その上，補助電源回路３１を複数に分けずに１基で構成しているので、ロスが少なく効率的に電力を発生させることができて待機消費電力を低減することができる。
【００５９】
また、１次側電源スイッチ１３だけがオンされているシステム待機時には、１段目のフィルタ回路１５だけが接続され、システム稼働時には、さらに２段目のフィルタ回路１９が接続される。システム待機時に接続されている１段目のフィルタ回路１５は、コンデンサの容量が小さいので、通電時における皮相電力（無効電力）が小さくなり、電力ロスを小さくすることができる。したがって、待機時におけるシステム全体の消費電力をさらに低減することができる。
【実施例２】
【００６０】
次に、図面を参照してこの発明の実施例２を説明する。
図２は、実施例２に係る電力供給システムの概略構成を示すブロック図である。なお、上述した実施例１と同じ構成については同符号を付すことで詳細な説明については省略する。
【００６１】
この電力供給システム１Ｂは、上述した実施例１のものと同様に、主装置３Ｂと副装置５Ｂとを信号ケーブル７で接続してなる。但し、半導体スイッチ２７が副装置５Ｂ側に設けられている。その関係上、半導体スイッチ２７は、副装置５Ｂのマイクロコンピュータ４５によって制御されるようになっているとともに、電力は主装置５Ｂの補助電源回路３１から信号ケーブル７を介して供給されるようになっている。また、半導体スイッチ２７とリレー３９の間には、ＤＣ−ＤＣコンバータ５１が設けられている。このＤＣ−ＤＣコンバータ５１は、半導体スイッチ２７からの出力信号レベルをリレー３９に合わせて高めるために設けられている。
【００６２】
なお、マイクロコンピュータ３３が本発明における第１の制御手段に相当し、マイクロコンピュータ４５が本発明における第２の制御手段に相当する。
【００６３】
次に、上述した構成の電力供給システムにおける動作について説明する。
【００６４】
＜システム待機までのステップ＞
（１）主装置３Ｂ及び副装置５Ｂの双方がＡＣライン１１，３７に接続された状態で、主装置３Ｂの一次側電源スイッチ１３がユーザ等によりオンされると、ＡＣ１００Ｖが１段目のフィルタ回路１５を介して補助電源回路３１及びリレー１７に供給される。これにより補助電源回路３１が起動される。
（２）補助電源回路３１からマイクロコンピュータ３３，４５及び受信部４９並びに半導体スイッチ２７に対して所要電力が供給される。これによりマイクロコンピュータ３３，４５及び受信部４９並びに半導体スイッチ２７が稼働する。
【００６５】
＜システム稼働までのステップ＞
システム稼働は、二次側電源スイッチ３５，４７又は受信部４９からの指示に基づき行われるが、これは上述した実施例１における３つの稼働パターンと同様である。
【００６６】
いずれかの稼働パターンでシステム稼働が指示されると、主装置３Ｂのマイクロコンピュータ３３がリレー１７を励磁して作動させる。これにより、２段目のフィルタ回路１９及び１段目のフィルタ回路１５を介して主電源回路２１がＡＣライン１１に対して電気的に接続される。主電源回路２１が作動すると、デジタルチューナユニット２３と信号変換器２５に対して所要電力が供給される。次いで、主装置３Ｂのマイクロコンピュータ３３から起動コマンドを受け取ったマイクロコンピュータ４５が半導体スイッチ２７を作動させることにより、ＤＣ−ＤＣコンバータ５１を介して副装置５Ｂのリレー３９が作動され、フィルタ回路４１を介して副電源回路４３がＡＣライン３７に接続される。すると、副電源回路４３で生成された電力が主負荷ユニット９に供給されて、その負荷が作動し、信号変換器２５からの信号に基づく出力等の動作が行われる。
【００６７】
なお、マイクロコンピュータ３３，４５のプログラミング次第であるが、２次側電源スイッチ４７または受信部４９から入力されたものに限り、マイクロコンピュータ４５はマイクロコンピュータ３３から起動コマンドを受け取らなくとも作動させることができる。
【００６８】
上述した構成により、実施例２に係る電力供給システム１Ｂでは、上記の実施例１と同様の効果を奏する。
すなわち、システム待機時には、主装置３Ｂの補助電源回路３１だけが電力を消費するので、ＡＣライン３７からみた副装置５Ｂの待機消費電力をゼロにできる。その結果、電力供給システム１Ｂの全体における待機消費電力を低減できる。さらに、この実施例２の電力供給システム１Ｂでは、副装置５Ｂのリレー３９を駆動する半導体スイッチ２７を副装置５Ｂ側に備えているので、リレー３９と半導体スイッチ２７とを接続する信号ケーブル７の信号線を省略することができる。信号ケーブル７は、例えば、１〜３ｍ、場合によっては１０ｍもの長さになるので、信号線を一本省略することができるだけで装置コストを低減することができる。
【実施例３】
【００６９】
次に、図面を参照してこの発明の実施例３を説明する。
図３は、実施例３に係る電力供給システムの概略構成を示すブロック図である。なお、上述した実施例１または実施例２と同じ構成については同符号を付すことで詳細な説明については省略する。
【００７０】
この電力供給システム１Ｃは、上述した実施例１の構成において、主として主装置３Ａの信号変換器２５及びデジタルチューナユニット２３と、副装置５Ａの主負荷ユニットとを、主副装置３Ａ，５Ａの間で入れ替えたような構成を採用している。
【００７１】
すなわち、この電力供給システム１Ｃは、主装置３Ｃに主負荷ユニット９を備え、副装置５Ｃに信号変換器２５及びデジタルチューナユニット２３を備えている。
【００７２】
次に、上述した構成の電力供給システムにおける動作について説明する。
【００７３】
＜システム待機までのステップ＞
（１）主装置３Ｃ及び副装置５Ｃの双方がＡＣライン１１，３７に接続された状態で、主装置３Ｃの一次側電源スイッチ１３がユーザ等によりオンされると、ＡＣ１００Ｖが１段目のフィルタ回路１５を介して補助電源回路３１及びリレー１７に供給される。これにより補助電源回路３１が起動される。
（２）補助電源回路３１からマイクロコンピュータ３３，４５及び受信部４９に対して所要電力が供給される。これによりマイクロコンピュータ３３，４５及び受信部４９が稼働する。
【００７４】
＜システム稼働までのステップ＞
システム稼働は、二次側電源スイッチ３５，４７又は受信部４９からの指示に基づき行われるが、以下のように３パターンがある。
【００７５】
（１）リモートコントローラによる起動
リモートコントローラからのオン指示を受信部４９が受信し、これを主装置３Ｃのマイクロコンピュータ３３が検出する。マイクロコンピュータ３３は、副装置５Ｃのマイクロコンピュータ４５に対して、起動コマンドを信号ケーブル７から送信して転送する。
（２）主装置３Ｃの２次側電源スイッチ４７による起動
主装置３Ｃの２次側電源スイッチ４７がユーザ等によってオンされると、マイクロコンピュータ３３がこれを検出する。そして、マイクロコンピュータ３３は、副装置５Ｃのマイクロコンピュータ４５に対して起動コマンドを信号ケーブル７から送信して転送する。
（３）副装置５Ｃの２次側電源スイッチ３５による起動
副装置５Ｃの２次側電源スイッチ３５がユーザ等によりオンされると、マイクロコンピュータ４５がこれを検出する。マイクロコンピュータ４５は、主装置３Ｃのマイクロコンピュータ３３に対して、起動コマンドを信号ケーブル７を通して送信転送する。
【００７６】
上記のいずれかでシステム稼働が指示されると、主装置３Ｃのマイクロコンピュータ３３がリレー１７を励磁して作動させる。これにより、２段目のフィルタ回路１９及び１段目のフィルタ回路１５を介して主電源回路２１がＡＣライン１１に対して電気的に接続される。主電源回路２１が作動すると、主負荷ユニット９に対して所要電力が供給される。次いで、マイクロコンピュータ３３が半導体スイッチ２７を作動させることにより、副装置５Ｃのリレー３９が作動され、フィルタ回路４１を介して副電源回路４３がＡＣライン３７に接続される。すると、副電源回路４３で生成された電力が信号変換器２５及びデジタルチューナユニット２３に供給され、信号変換器２５からの信号に基づく負荷ユニット９での出力等の動作が行われる。
【００７７】
上述した構成により、実施例３に係る電力供給システム１Ｃでは、上述した実施例１と同様の効果を奏する。
すなわち、システム待機時には、主装置３Ｃの補助電源回路３１だけが電力を消費するので、ＡＣライン３７からみた副装置５Ｃの待機消費電力をゼロにすることができる。その結果、電力供給システム１Ｃの全体における待機消費電力を低減できる。
【実施例４】
【００７８】
次に、図面を参照してこの発明の実施例４について説明する。
図４は、実施例４に係る電力供給システムの概略構成を示すブロック図である。なお、上述した各実施例１〜３と同じ構成については同符号を付すことで詳細な説明については省略する。
【００７９】
この電力供給システム１Ｄは、上述した実施例１の構成におけるマイクロコンピュータ４５を省略したような構成を採用している。そのため、マイクロコンピュータ３３は、主負荷ユニット９を制御するとともに、副装置５Ｄの２次側電源スイッチ４７及び受信部４９の状態を監視する動作も行っている。
【００８０】
次に、上述した構成の電力供給システムにおける動作について説明する。なお、システム待機までのステップは、以下のようになり、上述した実施例１とほぼ同じである。
【００８１】
＜システム待機までのステップ＞
（１）主装置３Ｄ及び副装置５Ｄの双方がＡＣライン１１，３７に接続された状態で、主装置３Ｄの一次側電源スイッチ１３がユーザ等によりオンされると、ＡＣ１００Ｖが１段目のフィルタ回路１５を介して補助電源回路３１及びリレー１７に供給される。これにより補助電源回路３１が起動される。
（２）補助電源回路３１からマイクロコンピュータ３３及び受信部４９に対して所要電力が供給される。これによりマイクロコンピュータ３３及び受信部４９が稼働する。
【００８２】
＜システム稼働までのステップ＞
システム稼働は、以下のように二次側電源スイッチ３５，４７又は受信部４９からの指示に基づき行われる。
【００８３】
すなわち、マイクロコンピュータ３３は、リモートコントローラからのオン指示を受信する受信部４９と、２次側電源スイッチ３５，４７とを監視しており、これらのうちのいずれかがオンになるとマイクロコンピュータ３３はリレー１７を作動させる。すると、２段目のフィルタ回路１９及び１段目のフィルタ回路１５を介して主電源回路２１がＡＣライン１１に対して電気的に接続される。主電源回路２１が作動すると、デジタルチューナユニット２３と、信号変換器２５と、半導体スイッチ２７に対して所要電力が供給される。次いで、マイクロコンピュータ３３が半導体スイッチ２７をスイッチング動作させることにより、副装置５Ｄのリレー３９が作動され、フィルタ回路４１を介して副電源回路４３がＡＣライン３７に接続される。すると、副電源回路４３で生成された電力が主負荷ユニット９に供給されて、その負荷が作動し、信号変換器２５からの信号に基づく出力等の動作が行われる。
【００８４】
上述した構成により、実施例４に係る電力供給システム１Ｃでは、上述した各実施例１〜３と同様に副装置５Ｄの待機消費電力をゼロにすることができるとともに、主装置３Ｄだけにマイクロコンピュータ３３を備えることにより、システム全体の構成部品を少なくできて低コスト化を図ることができる。
【００８５】
この発明は、上記実施例１〜４の実施形態に限られることはなく、下記のように変形実施することができる。
【００８６】
（１）上述した各実施例１〜４では、受信部４９を備えてリモートコントローラからの非接触指示に基づいてシステム稼働／待機を行うようにしているが、この発明は受信部４９を省略して２次側電源スイッチ３５，４７だけとしてもよい。また、受信部４９を一方装置側だけに備えるのではなく、主装置及び副装置の両方に備えるようにしてもよい。
【００８７】
（２）上述した各実施例１〜４では、オーディオビジュアルの装置を例に採って説明したが、この他に次のような装置への適用が実施可能である。
例えば、パーソナルコンピュータのビデオボード等のホスト（主装置又は副装置）と、モニター装置（副装置又は主装置）とが互いに信号ケーブルで接続され、モニター装置に所要の電力を供給したり、一定時間の操作が行われない場合にホストからの信号に応じてモニター装置への電力が遮断されたりするのに用いられる電力供給システムにも適用できる。また、モニター装置の内部に設けられたマイクロコントローラ（主装置又は副装置）と、モニター装置の表示部（副装置又は主装置）とが信号ケーブルで接続されてなる電力供給システムにも適用可能である。
【００８８】
（３）リレー３９は、さらなる待機消費電力低減のために２ａ接点であることが好ましいが、二線中の片方だけを開閉する１ａ接点であってもよい。また、リレー１７についても同様である。
【００８９】
（４）１次側電源スイッチ１３及びリレー１７を介してＡＣライン１１に接続された主電源回路２１と、この主電源回路２１から電力が供給される負荷２３，２５等とを備え、リレー１７を作動させて負荷２３，２５等に対して電力が供給されるシステム稼働としてのオン又はリレー１７を非作動させて負荷２３，２５等に対する電力が遮断されるシステム待機としてのオフに移行可能な電力供給システムにおいて、１次側電源スイッチ１３とリレー１７との間には、小容量のコンデンサを備えた１段目のフィルタ回路１５を備え、リレー１７と主電源回路２１との間には、大容量のコンデンサを備えた２段目のフィルタ回路１９を備え、１段目のフィルタ回路１５の後段には、システム待機時に小電力を供給する補助電源回路３１が接続されているような構成のように、主装置及び副装置の区別のない電力供給システムについても本発明（請求項１１，１２）を適用可能である。
【００９０】
この構成によると、システム稼働の場合には、リレー１７が作動して主電源回路２１が１段目のフィルタ回路１５と２段目のフィルタ回路１９とを介してＡＣライン１１に接続される。したがって、二つのフィルタ回路１５，１９によりノイズ吸収等のＥＭＩ対策を充分に図ることができる。その一方、システム待機の場合には、リレー１７が非作動とされて主電源回路２１がＡＣライン１１から切り離されるとともに、１段目のフィルタ回路１５だけを介して補助電源回路２１がＡＣライン１１に接続される。システム待機時に接続されている１段目のフィルタ回路１５は、コンデンサの容量が小さいので、通電時における皮相電力が小さくなり、電力ロスを小さくすることができる。したがって、システム稼働時におけるノイズ対策を充分に図りつつもシステム待機時におけるシステム全体の消費電力をさらに低減することができる。
【００９１】
（５）フィルタ回路は、上述したように直列に備える必要はなく、例えば、図５に示すような構成を採用してもよい。なお、図５は、変形例の要部を示したブロック図である。
すなわち、一次側電源スイッチ１３から分岐したラインにフィルタ回路１５ａを備え、リレー１７を介して電源回路２１との間にフィルタ回路１９ａを備える。フィルタ回路１５ａが、フィルタ回路１５ａとフィルタ回路１９ａのコンデンサの合成容量より小さな容量であれば、上述した実施例と同様の効果を奏する。
【図面の簡単な説明】
【００９２】
【図１】実施例１に係る電力供給システムの概略構成を示すブロック図である。
【図２】実施例２に係る電力供給システムの概略構成を示すブロック図である。
【図３】実施例３に係る電力供給システムの概略構成を示すブロック図である。
【図４】実施例４に係る電力供給システムの概略構成を示すブロック図である。
【図５】変形例の要部を示したブロック図である。
【符号の説明】
【００９３】
１Ａ  …  電力供給システム
３Ａ  …  主装置
５Ａ  …  副装置
７  …  信号ケーブル
１１，３７  …  ＡＣライン
１３  …  １次側電源スイッチ
１５  …  １段目のフィルタ回路
１７  …  リレー（第１のリレー）
１９  …  ２段目のフィルタ回路
２１  …  主電源回路
２７  …  半導体スイッチ
３１  …  補助電源回路
３３  …  マイクロコンピュータ（制御手段及び第２のマイクロコンピュータ）
３５  …  ２次側電源スイッチ（指示手段，手動スイッチ）
３９  …  リレー（第２のリレー）
４１  …  フィルタ回路
４３  …  副電源回路
４５  …  マイクロコンピュータ（制御手段及び第２のマイクロプロセッサ）
４７  …  ２次側電源スイッチ（指示手段，手動スイッチ）
４９  …  受信部（指示手段）
【図１】
2005157948.tif 000003
【図２】
2005157948.tif 000004
【図３】
2005157948.tif 000005
【図４】
2005157948.tif 000006
【図５】
2005157948.tif 000007